(57)【要約】【課題】  各端末装置毎のＩＤを回線網を利用して一括で付与できるシステムで、端末装置に回線網を利用せずにＩＤを付与することができる識別符号書込装置を提供する。【解決手段】  操作部８３により入力された識別符号を記憶する端末識別符号記憶部８７と、中央管理装置と通信接続するための管理装置用通信インターフェース８４と、操作部８３により入力された識別符号に対応する端末装置の情報を中央管理装置から検索出力させるためのプログラムを記憶する管理装置検索プログラム記憶部９０と、中央管理装置から受信した情報を記憶する端末情報記憶部８８、８９と、端末装置に任意のデータを送信可能な端末装置用通信インターフェース８５と、情報を端末装置用通信インターフェース８５に接続された端末装置に書き込むプログラムを記憶する書込プログラム記憶部９２を備える。【選択図】        図６
2006140675.tif 000002
【特許請求の範囲】
【請求項１】
ＬＡＮ（ローカルエリアネットワーク）型通信回線網に接続された各端末装置に識別符号を書き込む識別符号付与プログラムを記憶し、前記各端末装置に書き込まれた全ての識別符号を記憶する中央管理装置と、
前記ＬＡＮ型通信回線網に接続され、前記識別符号付与プログラムにより書き込まれた識別符号を記憶する複数の端末装置と
から構成されるネットワークシステムに用いられる端末装置に、前記ＬＡＮ型通信回線網に接続されない状態で識別符号を書き込む識別符号書込装置であって、
前記端末装置の識別符号を入力可能な操作部と、
前記操作部により入力された識別符号を記憶する端末識別符号記憶部と、
前記中央管理装置と通信接続するための管理装置用通信インターフェースと、
前記操作部により入力された識別符号に対応する端末装置に用いられる情報を前記中央管理装置から検索して出力させるためのプログラムを記憶する管理装置検索プログラム記憶部と、
前記中央管理装置から受信した端末装置に用いられる情報を記憶する端末情報記憶部と、
前記端末装置に任意のデータを送信可能な端末装置用通信インターフェースと、
前記識別符号及び前記端末装置に用いられる情報を、前記端末装置用通信インターフェースに接続された端末装置に書き込むプログラムを記憶する書込プログラム記憶部
を備えることを特徴とする識別符号書込装置。
【請求項２】
前記端末情報記憶部は、前記中央管理装置に記憶された前記識別符号の端末装置の設定値を、前記識別符号と関連づけて記憶する設定値記憶部を含み、
前記書込プログラム記憶部に記憶されるプログラムは、前記選択された識別符号を前記端末装置に書き込む際に、該識別符号と対応する前記設定値も前記端末装置に書き込む
ことを特徴とする請求項１に記載の識別符号書込装置。
【請求項３】
前記端末情報記憶部は、前記中央管理装置に記憶された前記識別符号の端末装置を管理するためのソフトウエアを、前記識別符号と関連づけて記憶する端末管理ソフト記憶部を含み、
前記書込プログラム記憶部のプログラムは、前記選択された識別符号を前記端末装置に書き込む際に、該識別符号と対応する前記端末装置を管理するためのソフトウエアも前記端末装置に書き込む
ことを特徴とする請求項１または２に記載の識別符号書込装置。
【請求項４】
前記操作部により入力された端末装置の識別符号および前記中央管理装置から検索出力された識別符号に対応する端末装置の情報を表示可能な表示部と、
前記表示部に前記端末装置の識別符号あるいは前記端末装置の情報を表示させるためのプログラムを記憶する表示プログラム記憶部と
を備え、
前記中央管理装置検索プログラム記憶部のプログラムは、前記表示部に表示された識別符号により検索し、
前記書込プログラム記憶部のプログラムは、前記表示部に表示された前記識別符号及び前記端末装置に用いられる情報を前記端末装置に書き込む
ことを特徴とする請求項１〜３の何れか１項に記載の識別符号書込装置。
【請求項５】
前記端末装置用通信インターフェースは、前記ＬＡＮ型通信回線網と接続するための通信コネクタを備える
ことを特徴とする請求項１〜４の何れかに記載の識別符号書込装置。
【請求項６】
ＬＡＮ（ローカルエリアネットワーク）型通信回線網に接続された各端末装置に識別符号を書き込む識別符号付与プログラムを記憶し、前記各端末装置に書き込まれた全ての識別符号を記憶する中央管理装置と、
前記ＬＡＮ型通信回線網に接続され、前記識別符号付与プログラムにより書き込まれた識別符号を記憶する複数の端末装置と
から構成されるネットワークシステムに用いられる端末装置における、少なくとも識別符号を記憶でき、前記ＬＡＮ型通信回線網に接続するための通信コネクタを備える印刷配線基板組立品に対し、前記ＬＡＮ型通信回線網に接続されない状態で識別符号を書き込む識別符号書込装置であって、
前記端末装置の識別符号を入力可能な操作部と、
前記操作部により入力された識別符号を記憶する端末識別符号記憶部と、
前記中央管理装置と通信接続するための管理装置用通信インターフェースと、
前記操作部により入力された識別符号に対応する端末装置に用いられる情報を前記中央管理装置から検索して出力させるためのプログラムを記憶する管理装置検索プログラム記憶部と、
前記中央管理装置から受信した端末装置に用いられる情報を記憶する端末情報記憶部と、
前記ＬＡＮ型通信回線網に接続するための通信コネクタを備え、前記端末装置の印刷配線基板組立品に任意のデータを送信可能な端末装置用通信インターフェースと、
前記識別符号及び前記端末装置に用いられる情報を、前記端末装置用通信インターフェースに接続された端末装置の印刷配線基板組立品に書き込むプログラムを記憶する書込プログラム記憶部
を備えることを特徴とする識別符号書込装置。
【請求項７】
前記端末情報記憶部は、前記中央管理装置に記憶された前記識別符号の端末装置の設定値を、前記識別符号と関連づけて記憶する設定値記憶部を含み、
前記書込プログラム記憶部に記憶されるプログラムは、前記選択された識別符号を前記端末装置の印刷配線基板組立品に書き込む際に、該識別符号と対応する前記設定値も前記印刷配線基板組立品に書き込む
ことを特徴とする請求項６に記載の識別符号書込装置。
【請求項８】
前記端末情報記憶部は、前記中央管理装置に記憶された前記識別符号の端末装置を管理するためのソフトウエアを、前記識別符号と関連づけて記憶する端末管理ソフト記憶部を含み、
前記書込プログラム記憶部に記憶されるプログラムは、前記選択された識別符号を前記端末装置の印刷配線基板組立品に書き込む際に、該識別符号と対応する前記端末装置を管理するためのソフトウエアも前記印刷配線基板組立品に書き込む
ことを特徴とする請求項６または７に記載の識別符号書込装置。
【請求項９】
前記操作部により入力された端末装置の識別符号および前記中央管理装置から検索出力された識別符号に対応する端末装置の情報を表示可能な表示部と、
前記表示部に前記端末装置の識別符号あるいは前記端末装置の情報を表示させるためのプログラムを記憶する表示プログラム記憶部と
を備え、
前記中央管理装置検索プログラム記憶部のプログラムは、前記表示部に表示された識別符号により検索し、
前記書込プログラム記憶部に記憶されるプログラムは、前記表示部に表示された前記識別符号及び前記端末装置に用いられる情報を前記端末装置の印刷配線基板組立品に書き込む
ことを特徴とする請求項６〜８の何れか１項に記載の識別符号書込装置。
【請求項１０】
前記端末装置の印刷配線基板組立品を単体で動作させるための電力を供給する電源コネクタを備える
ことを特徴とする請求項６〜９の何れかに記載の識別符号書込装置。
【請求項１１】
前記端末装置用通信インターフェースは、前記ＬＡＮ型通信回線網で利用されるプロトコルを用いる
ことを特徴とする請求項１〜９の何れか１項に記載の識別符号書込装置。
【請求項１２】
前記操作部は、各端末装置の配置を識別するための配置識別用識別符号が入力され、
前記中央管理装置検索プログラム記憶部のプログラムは、前記配置識別用識別符号により検索を行い、
前記端末識別符号記憶部には、前記配置識別用識別符号に関連づけられて、各端末装置を管理するための各端末装置に対してシステム上で固有のシステム用識別符号も記憶される
ことを特徴とする請求項１〜１１の何れか１項に記載の識別符号書込装置。
【請求項１３】
請求項１〜１２の何れか１項に記載の識別符号書込装置を内蔵する
ことを特徴とする中央管理装置。
【請求項１４】
前記識別符号書込装置の操作部として、中央管理装置に設けられた操作部が用いられる
ことを特徴とする請求項１３に記載の中央管理装置。
【請求項１５】
請求項４または９の何れか１項に記載の識別符号書込装置を内蔵し、前記表示部として、中央管理装置に設けられた表示部が用いられる
ことを特徴とする請求項１４に記載の中央管理装置。
【請求項１６】
前記識別符号書込装置を制御するために、中央管理装置に設けられた制御部が用いられる
ことを特徴とする項１３〜１５の何れか１項に記載の中央管理装置。
【請求項１７】
ＬＡＮ（ローカルエリアネットワーク）型通信回線網に接続された各端末装置に識別符号を書き込む識別符号付与プログラムを記憶し、前記各端末装置に書き込まれた全ての識別符号を記憶する中央管理装置と、
前記ＬＡＮ型通信回線網に接続され、前記識別符号付与プログラムにより書き込まれた識別符号を記憶する複数の端末装置と
から構成されるネットワークシステムに用いられる端末装置に対し、前記ＬＡＮ型通信回線網に接続されない状態で識別符号を書き込む識別符号書込装置の書込方法であって、
前記識別符号書込装置に、識別符号が書き込まれていない端末装置またはその印刷配線基板組立品を接続する過程と、
少なくとも前記端末装置の識別符号が入力される過程と、
前記入力された端末装置の識別符号により、接続されている中央管理装置内から、前記識別符号に対応する情報が検索されて読み込まれる過程と、
前記読み込まれた情報が、識別符号と共に、接続された端末装置またはその印刷配線基板組立品に書き込まれる過程
を有することを特徴とする識別符号書込装置の書込方法。
【請求項１８】
前記識別符号が入力される過程では、各端末装置の配置を識別するための配置識別用識別符号が入力され、
前記情報が検索されて読み込まれる過程では、前記配置識別用識別符号に関連づけられて、各端末装置を管理するための各端末装置に対してシステム上で固有のシステム用識別符号が検索される
ことを特徴とする請求項１７に記載の識別符号書込装置の書込方法。
【請求項１９】
前記情報が検索されて読み込まれる過程では、前記配置識別用識別符号に関連づけられて、該識別符号と対応する設定値が検索される
ことを特徴とする請求項１７または１８に記載の識別符号書込装置の書込方法。
【請求項２０】
前記情報が検索されて読み込まれる過程では、前記配置識別用識別符号に関連づけられて、該識別符号と対応する前記端末装置を管理するためのソフトウエアが検索される
ことを特徴とする請求項１７〜１８の何れか１項に記載の識別符号書込装置の書込方法。
【発明の詳細な説明】
【技術分野】
【０００１】
本発明は、ＬＡＮ（ローカルエリアネットワーク）型通信回線網に接続された各端末装置に対し、ＬＡＮ型通信回線網に接続されない状態で識別符号（ＩＤ）を書き込む装置およびその方法に関する。
【背景技術】
【０００２】
ＬＡＮ型通信回線網を介して中央管理装置と各端末装置が接続される構成のシステムでは、各端末装置を管理するために、各端末装置に対してシステム上で固有の識別符号（ＩＤ）が必要である。例えば、パチンコ玉やコイン等を遊技媒体とする一般的な遊技場では、中央管理装置と複数の遊技機（またはその付設処理装置）、あるいは両替装置等が通信回線網を介して端末装置として接続されてリング型のネットワークシステム（ＬＡＮ型通信回線網の一種）を構成しているが、例えば、各遊技装置の使用者が従業員をランプ等で呼び出す場合等のために、各遊技装置の遊技場における配置（位置）を識別する必要があり、そのための配置識別用のＩＤが必要である。システム上のＩＤと配置識別用のＩＤは、同一である場合もあるし、異なる場合もある。
【０００３】
システム上のＩＤと配置識別用のＩＤを同一にする場合には、例えば、端末装置の内部のＲＯＭ（リード・オンリー・メモリー）等の記憶素子に記憶されたＩＤをそのまま用いるか、ＥＥＰＲＯＭ（エレクトリック・イレーサブル・プログラマブル・ＲＯＭ）等の書き込み可能な記憶素子に新規に設定したＩＤを書き込めばよい。
【０００４】
システム上のＩＤと配置識別用のＩＤを異ならせる場合には、例えば、端末装置に対応するＩＤを、システム上のＩＤとして用いる一方で、各端末装置毎に個別に設置される呼び出しランプに対して配置識別用のＩＤを付与し、システム上のＩＤと配置識別用のＩＤを対応させてＥＥＰＲＯＭ等に記憶させておけば良い。
【０００５】
上記した何れの場合でも、配置識別用のＩＤを付与する際には、遊技場の従業員が各端末装置毎に１台ずつ手作業で、必要に応じて専用の用具を用いて設定しており、例えば、システム上のＩＤと配置識別用のＩＤを異ならせる場合には、各端末装置毎の呼び出しランプにディップスイッチあるいは桁毎にロータリースイッチを設け、遊技場の従業員がそのディップスイッチあるいはロータリースイッチを１台ずつ設定していた。
【０００６】
また、遊技場の従業員による設定の誤りを減らすために、システム上のＩＤと配置識別用のＩＤを対応させてＥＥＰＲＯＭ等に記憶させる処理を、管理装置側からの指示で実施するものが知られている。具体的には、例えば、管理装置側からの指示により、各遊技装置（端末装置）に対応する呼び出しランプのＥＥＰＲＯＭ等に、ディップスイッチ等の設定内容と共に端末装置に対応するＩＤを記憶するものである。この場合、ディップスイッチ等の設定が同一である場合等の不具合を発見することが容易になるので、例えば、呼び出しランプを交換する場合のＩＤの再付与が容易であり、端末装置を交換した場合でも、ＩＤの再付与が不要であるか、再付与が容易であり、システム上の各端末装置および呼び出しランプの管理を容易にすることができた。
【０００７】
しかし、上記した方法でも、各端末装置の呼び出しランプ毎に遊技場の従業員等によるディップスイッチ等の設定が必要であり、例えば、新規の遊技場で通常は数百台以上である端末装置の呼び出しランプに対してディップスイッチ等を設定する場合は、作業量が非常に多くなっていた。
【０００８】
上記した問題を解決するために、ディップスイッチ等の設定に代えて、管理装置側から最初の端末装置の呼び出しランプに対して、例えば、初期ランプ番号「０」を送信して、その初期ランプ番号「０」に「１」を加算して、ランプ番号「００００１」を自己のランプ番号としてメモリに記憶させると共に、そのランプ番号を次の端末装置の呼び出しランプに送信する。また、各呼び出しランプでは、自己のランプ番号に、さらに、各端末装置毎のＩＤを連続させて別のメモリに記憶させる。この処理を順次各呼び出しランプに繰り返すことで、遊技場の従業員等の作業量を減少させる方法が提案されている（例えば、特許文献１参照）。
【０００９】
また、複数のデータ送受信装置の番号付けを自動的にできるようにしたものとしては、遊技場の管理コンピュータからループ状の経路で接続された各データ送受信装置に対して、ループ状経路の各データ送受信装置の数量分の同様な信号群（４ビット等）が連続する列を送出し、各データ送受信装置では、受信した信号列の前から順に信号群の内容を確認してループ中の自装置の順番を確認し、その順番に対応する昇順あるいは降順のＩＤを設定し、次いで信号列中の自装置に対応する信号群の内容を変更して次のデータ送受信装置では使用されないようにして送出するものが知られている（例えば、特許文献２参照）。
【００１０】
【特許文献１】特開２００２−９１７号公報（４〜５頁、図３等）
【特許文献２】特開平１０−９９５１５号公報（要約、図１等）
【発明の開示】
【発明が解決しようとする課題】
【００１１】
しかしながら、上記特許文献１あるいは２のように回線網に接続された端末装置あるいは各データ送受信装置（以下、端末装置のみを記載）に対して、回線網を利用して順次ＩＤを設定するようにしたシステムの場合には、例えば、１台の端末装置が故障して新規の他の端末装置と交換する場合や、１部の端末装置のみを新規の端末装置に変更する場合でも、全てのＩＤを再設定する必要が生じていた。
【００１２】
ＩＤの再設定は、回線網に接続された端末装置の数量が少ない場合には、処理時間が少なくてすむが、数量が多くなるとデータ送信やＩＤの決定に多くの処理時間が必要になる。つまり、上記したシステムで回線網における１台の端末装置や数台の端末装置を交換してから、その交換した端末装置にＩＤを書き込む場合、再度、回線網を用いて順次ＩＤを設定することはできるが、そのためには、回線網に接続された全ての端末装置のＩＤを再設定する必要があり、従って、従来のシステムで、回線網の経路に端末装置の数量が多い場合には、例え１台の端末装置や数台の（一部の）端末装置にＩＤを設定したい場合でも、再設定に多くの時間が必要になるという問題がある。
【００１３】
また、その交換した端末装置にＩＤを再設定されるまでは、回線網を利用して実施する各端末装置のメンテナンス、設定（調整）やデータ集計等の他の処理ができない。従って、通常の営業時間中にはＩＤを再設定は実施できず、営業時間後の各端末装置のメンテナンス、設定（調整）やデータ集計等の他の処理が終了してから実施することになる。そして、上記したように時間がかかるＩＤの再設定が終了してから新しい端末装置の設定（調整）や回線網における動作の確認等を実施する。その際に、上記した回線網を利用して各端末装置にＩＤを順次書き込む方法では、例えば、書込が必要な端末装置が１台または数台であっても、営業時間外にシステム全体を稼働させる必要がある。このように、回線網を利用して一部の端末装置にＩＤを再設定したい場合でも、電力あるいは工数等の管理コストが多く必要であるという問題がある。
【００１４】
本発明は、上述した如き従来の問題を解決するためになされたものであって、各端末装置毎のＩＤを回線網を利用して一括で付与できるシステムで、各端末装置にＩＤを一括付与した後に一部の交換した端末装置のみにＩＤを付与し直す場合に、その一部の端末装置のみに回線網を利用せずにＩＤを付与することができる識別符号書込装置およびその書込方法を提供することを目的とする。
【課題を解決するための手段】
【００１５】
上述の目的を達成するため、本発明の識別符号書込装置あるいは中央管理装置は、リング型通信回線網に接続された各端末装置に識別符号を書き込む識別符号付与プログラムを記憶し、各端末装置に書き込まれた全ての識別符号を記憶する中央管理装置と、リング型通信回線網に接続され、識別符号付与プログラムにより書き込まれた識別符号を記憶する複数の端末装置とから構成されるネットワークシステムに用いられる端末装置に、リング型通信回線網に接続されない状態で識別符号を書き込む識別符号書込装置であって、端末装置の識別符号を入力可能な操作部と、操作部により入力された識別符号を記憶する端末識別符号記憶部と、中央管理装置と通信接続するための管理装置用通信インターフェースと、操作部により入力された識別符号に対応する端末装置に用いられる情報を中央管理装置から検索して出力させるためのプログラムを記憶する管理装置検索プログラム記憶部と、中央管理装置から受信した端末装置に用いられる情報を記憶する端末情報記憶部と、端末装置に任意のデータを送信可能な端末装置用通信インターフェースと、識別符号及び端末装置に用いられる情報を、端末装置用通信インターフェースに接続された端末装置に書き込むプログラムを記憶する書込プログラム記憶部を備える。
【００１６】
また、本発明の識別符号書込装置あるいは中央管理装置は、リング型通信回線網に接続された各端末装置に識別符号を書き込む識別符号付与プログラムを記憶し、各端末装置に書き込まれた全ての識別符号を記憶する中央管理装置と、リング型通信回線網に接続され、識別符号付与プログラムにより書き込まれた識別符号を記憶する複数の端末装置とから構成されるネットワークシステムに用いられる端末装置における、少なくとも識別符号を記憶でき、リング型通信回線網に接続するための通信コネクタを備える印刷配線基板組立品に対し、リング型通信回線網に接続されない状態で識別符号を書き込む識別符号書込装置であって、端末装置の識別符号を入力可能な操作部と、操作部により入力された識別符号を記憶する端末識別符号記憶部と、中央管理装置と通信接続するための管理装置用通信インターフェースと、操作部により入力された識別符号に対応する端末装置に用いられる情報を中央管理装置から検索して出力させるためのプログラムを記憶する管理装置検索プログラム記憶部と、中央管理装置から受信した端末装置に用いられる情報を記憶する端末情報記憶部と、リング型通信回線網に接続するための通信コネクタを備え、端末装置の印刷配線基板組立品に任意のデータを送信可能な端末装置用通信インターフェースと、識別符号及び前記端末装置に用いられる情報を、端末装置用通信インターフェースに接続された端末装置の印刷配線基板組立品に書き込むプログラムを記憶する書込プログラム記憶部を備える。
【００１７】
また、本発明の識別符号書込装置の書込方法は、リング型通信回線網に接続された各端末装置に識別符号を書き込む識別符号付与プログラムを記憶し、各端末装置に書き込まれた全ての識別符号を記憶する中央管理装置と、リング型通信回線網に接続され、識別符号付与プログラムにより書き込まれた識別符号を記憶する複数の端末装置とから構成されるネットワークシステムに用いられる端末装置に対し、リング型通信回線網に接続されない状態で識別符号を書き込む識別符号書込装置の書込方法であって、識別符号書込装置に、識別符号が書き込まれていない端末装置またはその印刷配線基板組立品を接続する過程と、少なくとも端末装置の識別符号が入力される過程と、入力された端末装置の識別符号により、接続されている中央管理装置内から、識別符号に対応する情報が検索されて読み込まれる過程と、読み込まれた情報が、識別符号と共に、接続された端末装置またはその印刷配線基板組立品に書き込まれる過程を有する。
【発明の効果】
【００１８】
本発明では、各端末装置毎のＩＤを回線網を利用して一括で付与できるシステムで、一括付与後に一部の端末装置のみ、回線網に接続しない状態で回線網に接続された任意の端末装置と同じＩＤを別の端末装置に対して付与することができるので、その設定に必要な時間および電力あるいは工数等の管理コストを低減させることができる。
【００１９】
また、本発明では、上記したように端末装置に直接ＩＤを付与できるだけでなく、少なくとも識別符号を記憶でき、前記リング型通信回線網に接続するための通信コネクタを備える印刷配線基板組立品に対してもＩＤを付与できるので、遊技装置をＩＤ付与のために移動させる際の工数等を低減でき、複数の端末装置に対してＩＤを付与する場合等には多くの移動工数を低減させることができる。
【００２０】
また、本発明では、リング型通信回線網で利用されるプロトコルを用い、リング型通信回線網と接続するための通信コネクタを設けることで、端末装置に通常用いられる通信インターフェース以外にＩＤを書き込むための通信インターフェースを別途に設ける必要が無くなり、端末装置のコスト増加を抑制できる。また、中央管理装置に本発明の識別符号書込装置を内蔵させた場合には、操作部、表示部および制御部として中央管理装置に備えられたものを流用することで省略あるいは統合でき、中央管理装置との通信インターフェースについても簡略化あるいは省略でき、別途に設ける必要がなくなるのでコスト増加を抑制できる。
【００２１】
また、本発明の識別符号書込装置およびその書込方法では、前記識別符号と関連づけて記憶する管理ソフトあるいは前記識別符号と関連づけて記憶する設定値についても端末装置に付与できるので、交換した新規の端末装置をリング型通信回線網と接続するための工数を低減させることができる。
【発明を実施するための最良の形態】
【００２２】
以下、本発明を図示した実施の形態に基づいて説明する。
（実施の形態１．）
図１は、本発明の実施の形態１の識別符号書込装置が利用されるシステムの構成例を示すブロック図である。
【００２３】
図１のシステムでは、複数の遊技装置３１〜３５と、各遊技装置３１〜３５に対応して個別に設けられた複数の付設処理装置２１〜２５とが各々接続されている。中央管理装置１と、各付設処理装置２１〜２５と、両替装置２８とは、通信回線２により接続されて閉ループ形式のリング型通信回線網（ネットワーク）を形成しており、本実施の形態では付設処理装置２１〜２５および両替装置２８が端末装置となっており、付設処理装置２１〜２５は対応する遊戯装置の識別符号（ＩＤ）を記憶（記憶）している。リング型通信回線網は、ＬＡＮ（ローカルエリアネットワーク）型通信回線網の一種である。リング型部分の通信回線２の通信方向は、中央管理装置１から付設処理装置２１に向かう一方向であり、各通信データは、付設処理装置２１、付設処理装置２２、付設処理装置２３、付設処理装置２４、付設処理装置２５、両替装置２８の順に転送されて中央管理装置１に戻る。また、図１で各遊技装置３１〜３５および両替装置２８のブロック内に記載した各識別符号（ＩＤ）は、本実施の形態で付与されるＩＤの一例である。
【００２４】
遊技装置３１〜３５は、例えば、パチンコ台やスロット台等のように、使用者によりパチンコ玉あるいはコイン等の遊技媒体を利用して遊技が実行されるものであり、遊技台とも称される。付設処理装置２１〜２５は、遊技装置３１〜３５の各々に隣接して設置され、各遊技装置３１〜３５に個別に接続される。
【００２５】
両替装置２８は、パチンコ玉あるいはコイン等の遊戯媒体を購入するために、例えば、紙幣から銀貨あるいは銅貨等への両替を実施したり、銀貨あるいは銅貨等を払い出す代わりに両替金額が電子的に書き込まれたカードを払い出したり、あるいは、両替金額を電子的にカードに書き込むことで払い出すものである。両替装置２８は、図１ではリング型通信回線網における付設処理装置２５と中央管理装置１との間に配置されているが、リング型通信回線網における任意の位置に設置することができ、リング型通信回線網において前後に位置する付設処理装置２１〜２５あるいは中央管理装置１と接続される。
【００２６】
中央管理装置１は、各付設処理装置２１〜２５および両替装置２８と通信回線により接続される。中央管理装置１は、各付設処理装置２１〜２５を制御することにより各遊技装置３１〜３５を管理し、あるいは、両替装置２８を管理する。付設処理装置２１〜２５の管理内容としては、多種多様な管理が可能であるが、少なくとも遊技媒体の数量を管理する。例えば、中央管理装置１では、少なくとも、各遊技装置３１〜３５に供給される遊技媒体の数量、各遊技装置３１〜３５で使用された遊技媒体の数量、各使用者の貯蓄玉（遊技媒体）データ情報等について管理する。両替装置２８の管理内容としては、例えば、両替数（遊技媒体売り上げ数）、紙幣数、銀貨あるいは銅貨数、カードを利用する場合のカード数、カード毎の両替数等である。
【００２７】
中央管理装置１は、遊技場の従業員等により管理され、一般の遊技客等は操作できないように、例えば、遊技場の管理室あるいはフロントカウンター等の内部に設置される。中央管理装置１内には、様々なプログラムを記憶しているので、その内部に設けられた後述する制御部により、各遊技装置３１〜３５、あるいは、両替装置２８を制御するための様々な指示（コマンド）等の生成や送受信が可能であり、また、管理に必要な様々な処理の実施が可能である
【００２８】
識別符号（ＩＤ）書込装置８０については、図６を用いて後述する。図１の新しい付設処理装置２６は、例えば、対応する遊戯装置の識別符号が書き込まれていないか消去されているため、記憶される端末装置ＩＤが未設定である付設処理装置である。同様に図１の新しい両替装置２９は、例えば、識別符号が書き込まれていないか消去されているため、記憶されるＩＤが未設定である両替装置である。識別符号（ＩＤ）書込装置８０と付設処理装置２６あるいは両替装置２９とは、通信回線２で接続される。通信回線２は、図１のリング型通信回線網で用いられているものと同じ通信回線である。
【００２９】
なお、図１では、中央管理装置１と各遊技装置３１〜３５は、各付設処理装置２１〜２５を介して間接的に接続されているが、例えば、中央管理装置１と各遊技装置３１〜３５を通信回線２により直接に接続し、制御信号を各遊技装置３１〜３５と各付設処理装置２１〜２５間で送受信することで、各遊技装置３１〜３５を管理するように構成しても良い。
【００３０】
図２は、図１の中央管理装置１の概略内部構成を示すブロック図である。
リング回線網受信インターフェース４１は、リング型通信回線網における最後の端末装置（例えば、図１の両替装置２８）から通信回線２を介して受信するＩＤを内部処理可能なデータ形式に変換する。その際に必要に応じてＩＤのデータを一時的にバッファに記憶する。表示部４２は、例えば、各遊技装置３１〜３５の状況や両替装置２８の状況や入力内容等を従業員に示すものである。
【００３１】
操作部４３は、例えば、数字やアルファベット、あるいは仮名の入力用キーボード等である。この操作部４３により、例えば、従業員によりその日に特有の景品交換率や手数料等の設定や、各遊技装置３１〜３５あるいは両替機２８への個別の指示内容や端末装置への一斉指示内容を入力することができる。入力内容は、端末装置に共通の設定でも良いし、所定のタイプの端末装置に限る設定でも良い。また、その内容は、１日のうちの、特定の時間に限る設定としても良い。
【００３２】
リング回線網送信インターフェース４４は、リング型通信回線網における最初の端末装置に通信回線２を介して送信するＩＤのデータ形式を内部処理可能な形式から通信回線網で用いられる形式に変換する。その際に必要に応じてＩＤのデータを一時的にバッファに記憶する。バッファに一時的に記憶する。制御部４５は、中央演算素子（ＣＰＵ）あるいはマイクロプロセッサ等の演算素子からなり、各種の制御処理、演算処理、判断処理等を実施する。
【００３３】
初台用端末装置ＩＤ記憶部４６は、中央管理装置１の内部（例えば制御部４５等）により生成された初台用のＩＤを記憶する。なお、初台とは、例えば、通信回線２を用いたリング型通信回線網における最初の端末装置を示す。回線網通信ソフト記憶部４７は、リング型通信回線網でデータ等を通信する際に用いられるソフトウエアおよびプロトコル等を記憶する。ＩＤ付与開始通知一斉送信プログラム記憶部４８は、リング型通信回線網における全ての端末装置２１〜２８に対してＩＤ付与開始を開始する旨を、一斉送信により通知する処理内容を含むＩＤ付与開始通知一斉送信プログラムを記憶する。
【００３４】
端末装置ＩＤ付与プログラム記憶部４９は、リング型通信回線網に接続された最初の端末装置に対するＩＤを決定するためのデータを生成して送信する処理内容と、リング型通信回線網に接続された最後の端末装置からＩＤを決定するためのデータを受信した場合に、処理を終了する処理内容と、記憶されている最初の端末装置に対応するＩＤを決定するためのデータと最後の端末装置から受信したＩＤを決定するためのデータを比較し、少なくとも両ＩＤを決定するためのデータが同じ場合にはエラーを出力する処理内容を含む端末装置ＩＤ付与プログラムを記憶する。
【００３５】
全端末装置データ記憶部７１は、リング型通信回線網に接続された全ての遊技装置３１〜３５毎に各付設処理装置２１〜２５に設定される設定内容や、各顧客（使用者）毎に保有される記憶媒体に記憶された遊技媒体貯蓄データ（貯蓄玉データ、貯蓄コインデータ等）を記憶し、例えば、端末装置に付与されたＩＤおよびその端末装置の設定値と管理ソフトをＩＤデータに関連づけて記憶する。
【００３６】
全端末装置データ記憶部７１内では、各端末装置のＩＤは端末装置ＩＤ記憶部７１ａ、各端末装置の設定値は端末装置設定値記憶部７１ｂ、各端末装置の管理ソフトは端末装置管理ソフト記憶部７１ｃにそれぞれ記憶される。各端末装置の設定値とは、例えば、各端末装置が製品として遊技場に納入された時点から遊技場の都合、ネットワーク対応、あるいはメンテナンスの都合等のために仕様変更された各種値のうち、新しい端末装置でも設定が必要となる値である。各端末装置の管理ソフトとは、例えば、各端末装置の製造者毎に異なる制御コード等を含む管理用のソフトウエアである。
【００３７】
全端末装置ＩＤ取得プログラム記憶部７２は、端末装置ＩＤ付与プログラムによりリング型通信回線網に接続された全ての端末装置に対するＩＤの付与が終了した場合に、自動的に各端末装置に対して各端末装置のＩＤを決定するためのデータを送信するように要求する処理内容を含む端末装置ＩＤ取得プログラムを記憶する。全端末装置ＩＤ取得プログラム記憶部７２のプログラムは、制御部４５により実行され、端末装置側では、ＩＤを送信する要求を受信した場合、例えば、ＩＤ記憶部から各端末装置に対応するＩＤおよびそのＩＤに対応するデータを読み出して中央管理装置１に送信する。
【００３８】
図３は、図２の全端末装置データ記憶部７１の記憶内容を示す図表である。
図３では、図１に示された端末装置を示す各ブロックの符号を、例えば各端末装置の配置順あるいはリング型通信回線網における通信順を示す端末装置番号とし、その各々の端末装置番号に対応する端末装置ＩＤ、端末装置設定値、および、端末装置管理ソフトを全端末装置データ記憶部７１に記憶した状態を一覧表形式に示した。
【００３９】
図３では、例えば、端末装置番号の列７１１に示された端末装置番号２１（付設処理装置）の端末装置ＩＤが端末装置ＩＤの列７１２に示された「Ａ０００１」であり、その設定値が端末装置設定値の列７１３に示された「１０，１１，１１」であり、使用されている管理ソフトが端末装置管理ソフトの列７１４に示された「ソフト１」である。また、例えば、端末装置番号の列７１１に示された端末装置番号２８（両替装置）の端末装置ＩＤが「Ａ０１１６」であり、その設定値が端末装置設定値の列７１２に示された「６０，１６，１６」であり、使用されている管理ソフトが端末装置管理ソフトの列７１３に示された「ソフト３」である。本実施の形態の識別符号書込装置では、例えば、端末装置番号として「２１」が操作部８３から入力されると、中央管理装置１から端末装置ＩＤとして「Ａ０００１」が検索されて読み出されると共に、その設定値「１０，１１，１１」および、「ソフト１」も関連づけられているので同時に読み出されて、それらが新規の端末装置に書き込まれる。
【００４０】
なお、図３の各データは一例であり、例えば、端末装置番号の列７１１の各数値は図示したような連番に限らず、遊技場内における各端末装置の配置順あるいはリング型通信回線網における通信順を示すものであれば他の形式を用いても良い。すなわち、端末装置番号の列７１１の各数値は、遊技場における遊技機の台番号等の従業員（使用者）にその位置や端末装置自体が認識可能な符号である。端末装置ＩＤの列７１２の端末装置ＩＤも、一例であり、例えば、アルファベットを用いずに数字のみで表示しても、あるいは、アルファベットと数字を組み合わせて表示しても良い。また、アルファベットは１桁でなく２文字以上としても良いし、数字の桁も４桁でなくても良い。同様に、端末装置設定値の列７１３の設定値、端末装置管理ソフトの列７１４の管理ソフトも一例であり、他の表現を用いて示しても良い。
【００４１】
端末装置番号の列７１１と端末装置ＩＤの列７１２の双方を設けている理由は、一般的に端末装置ＩＤは複雑で桁数が多いため主にネットワークシステムの内部処理に用い、従業員（使用者）に対して端末装置を特定するためには、シンプルで人が認識しやすい表示である端末装置番号の方が適するためである。従って、つまり、端末装置ＩＤをシンプルにできる場合には、端末装置番号と統合させて、人とシステムに対して同じＩＤを用いることが可能である。
【００４２】
図４は、図１の付設処理装置の概略内部構成を示すブロック図である。
端末装置の１種である付設処理装置２１（または２２〜２６）は、各々図１に示したように通信回線２により他の付設処理装置、両替装置２８または中央管理装置１と接続されるものであり、リング型通信回線網を利用して各端末装置としてのＩＤを一括で付与できるようにするために、例えば、以下に示すような構成を有している。
【００４３】
各付設処理装置２１〜２６内には、受信した各端末装置毎のＩＤを決定するためのデータ等の波形を整形して出力する波形整形部５１を有する。これは、受信したＩＤを決定するためのデータ等の波形は、回線網２を伝送中に減衰するか、波形が乱れている可能性があるため、次段の付設処理装置のために波形を整えて再送出するものである。この波形整形部５１を経由する経路は、付設処理装置２０内で処理を実施せず、単に受信した信号の波形が整形されて出力されるのみであるのでバイパス経路（Ａ）とする。
【００４４】
経路切替部５２は、リング型通信回線網におけるバイパス経路（Ａ）と個別送受信経路（Ｂ）とを切り替えるものである。経路切替部５２の初期状態としては、バイパス経路（Ａ）となる。
【００４５】
リング回線網受信インターフェース５３は、例えば、通信回線２から受信したＩＤを決定するためのデータ等を後述する制御部５５等で内部処理するためにデータの形式あるいは形状等を変換するものである。その際に必要に応じてＩＤのデータを一時的にバッファに記憶する。このリング回線網受信インターフェース５３を経由する経路は、各付設処理装置２０内で個別に処理が実施されるため個別送受信経路（Ｂ）とする。
【００４６】
リング回線網送信インターフェース５４は、例えば、制御部５５で生成された次段の付設処理装置用のＩＤを決定するためのデータを、通信回線２を介して送信するためのデータに変換するものである。その際に必要に応じてＩＤを決定するためのデータ等を一時的にバッファに記憶する。
【００４７】
制御部５５は、中央演算素子（ＣＰＵ）あるいはマイクロプロセッサ等の演算素子からなり、各種の制御処理、演算処理、判断処理等を実施する。また、制御部５５は、不図示の接続インターフェース等を介して遊技装置３１〜３５と接続されている。
【００４８】
端末装置ＩＤ記憶部５６ａは、各端末装置毎のＩＤを記憶する。端末装置毎のＩＤは、中央管理装置１あるいは前段の端末装置により生成されて送信されたものであり、端末装置ＩＤ記憶部５６ａは、そのＩＤを決定するためのデータを受信して決定されたＩＤを記憶する。
【００４９】
端末装置設定値記憶部５６ｂは、各端末装置毎の各種設定値を記憶する。端末装置毎の各種設定値は、例えば、接続される遊戯装置が各付設処理装置に接続されてから遊技場の都合、ネットワーク対応、メンテナンスの都合等の理由により設定された値であり、遊戯装置が交換された場合にも再度設定が必要になる設定値である。
【００５０】
端末装置管理ソフト記憶部５６ｃは、各端末装置毎の管理ソフトを記憶する。端末装置毎の管理ソフトは、一般的に装置の製造者毎に異なり、例えば、中央管理装置１で通信回線２（回線網）と付設処理装置２１〜２６を介して各遊戯装置３１〜３６を制御するためには、その各遊戯装置に対応する管理ソフトも付設処理装置に記憶しておく必要がある。端末装置を違う製造業者のものに変更する場合には、その管理ソフトを新規に記憶する必要があるが、同じ製造業者の端末装置と交換する場合や、故障や修理等のために同じ種類の新しい端末装置と交換する場合には記憶された管理ソフトをそのまま利用できる場合が多い。なお、ソフトウエアはバージョンアップされることがあるので、遊戯装置を交換する場合には、同じソフトウエアを用いる場合でも必ずしも前のバージョンをそのまま利用できるわけではない。
【００５１】
経路切替制御プログラム記憶部５８は、ＩＤ付与開始通知の受信により、経路切替部５２を初期状態のバイパス経路から個別送受信経路に切り替え、次の端末装置に対応するＩＤを決定するためのデータを生成して送出した後に個別送受信経路をバイパス経路に戻す処理内容を含む経路切替制御プログラムを記憶する。
【００５２】
端末装置ＩＤ記憶／生成プログラム記憶部５９は、受信したＩＤを決定するためのデータで決定されたＩＤを端末装置ＩＤ記憶部５６ａに記憶し、次の端末装置に対応するＩＤを決定するためのデータを生成して送出する処理内容を含む端末装置ＩＤ記憶／生成プログラムを記憶する。回線網通信ソフト記憶部６１は、中央管理装置１の回線網通信ソフト記憶部４７と同様にリング型通信回線網でデータ等を通信する際に用いられるソフトウエアおよびプロトコル等を記憶する。
【００５３】
図５は、図１の両替装置の概略内部構成を示すブロック図である。
端末装置の１種である両替装置２８（または２９）は、図１に示したように通信回線２により他の付設処理装置、両替装置２８または中央管理装置１と接続されるものであり、リング型通信回線網を利用して各端末装置としてのＩＤを一括で付与できるようにするために、例えば、上記した付設処理装置２１（２２〜２６）と同様に以下に示すような構成を有している。
【００５４】
両替装置２８内には、付設処理装置２１（２２〜２６）と同様に波形整形部５１、経路切替部５２、リング回線網受信インターフェース５３、リング回線網送信インターフェース５４、制御部５５、記憶部５８、および、端末装置ＩＤ記憶／生成プログラム記憶部５９を備え、付設処理装置２１（２２〜２６）の端末装置ＩＤ記憶部５６ａ、端末装置設定値記憶部５６ｂ、および、端末装置管理ソフト記憶部５６ｃの各々に相当する端末装置ＩＤ記憶部６２ａ、端末装置設定値記憶部６２ｂ、および、端末装置管理ソフト記憶部６２ｃを備える。
【００５５】
さらに両替装置２８内には、両替装置に特有の、パチンコ玉あるいはコイン等の遊戯媒体を購入するために、例えば、紙幣から銀貨あるいは銅貨等への両替を実施したり、銀貨あるいは銅貨等を払い出す代わりに両替金額が電子的に書き込まれたカードを払い出したり、あるいは、両替金額を電子的にカードに書き込むことで払い出すプログラム（両替プログラム）を記憶する両替プログラム記憶部６３と、その両替プログラムにより実際に両替処理を実施する両替部６４とを備えるものである。
【００５６】
図６は、図１の端末装置ＩＤ書込装置８０の概略内部構成を示すブロック図である。
書込装置制御プログラム記憶部８１は、端末装置ＩＤ書込装置８０内には、端末装置ＩＤ書込装置８０を制御して接続された端末装置にＩＤを書き込む処理のプログラムを記憶する。表示部８２は、操作部８３により入力された端末装置の識別符号および中央管理装置１から検索出力された識別符号に対応する端末装置の情報を表示でき、例えば、図８（ａ）を用いて後述するように操作部８３から入力された端末装置の配置を識別するための配置識別用識別符号（端末装置番号：台番号）、あるいは図８（ｂ）を用いて後述するように、その入力された配置識別用識別符号に対応して各端末装置を管理するため、各端末装置に対してシステム上で固有であるシステム用識別符号（端末装置ＩＤ）、その端末装置に設定された設定値、その端末装置に用いられている管理用ソフトウエア等が中央管理装置１内から検索されて表示される。
【００５７】
操作部８３は、例えば、数字やアルファベット、あるいは仮名の入力用キーボード等であり、例えば、端末装置の配置を識別するための配置識別用識別符号の入力時、中央管理装置１あるいは新端末装置等の接続確認時、中央管理装置１から読み出されたデータ読込結果の登録確認時、及び、登録されたデータの新端末装置へのデータ書込等の確認時等に、入力結果や読み出されたデータの確認、データ書込内容の確認等に使用される。
【００５８】
管理装置通信インターフェース８４は、中央管理装置１との間で通信回線６を介して任意のデータを送受信（通信）できるものである。その際に必要に応じてデータをバッファに一時的に記憶する。端末装置ＩＤ書込装置８０と中央管理装置１とを接続する通信回線６としては、例えば、ＲＳ２３２Ｃ規格に準拠する接続ケーブル、あるいは、イーサネットに対応する接続ケーブル、及びそれらに対応する接続インターフェース及び接続端子を用いることができる。
【００５９】
リング回線網送信インターフェース８５は、接続された端末装置に任意のデータを送信できるもので、例えば、図１に示したリング型通信回線網と同様な構成およびプロトコルを用いてＩＤのデータ形式を内部処理可能な形式から通信回線網で用いられる形式に変換し、接続された端末装置に通信回線２を介して送信する。その際に必要に応じてＩＤのデータをバッファに一時的に記憶する。通信回線２の先端には図１のリング型通信回線網に用いられるものと同様な回線網コネクタ３が設置される。制御部８６は、中央演算素子（ＣＰＵ）あるいはマイクロプロセッサ等の演算素子からなり、各種の制御処理、演算処理、判断処理等を実施する。
【００６０】
端末装置ＩＤ記憶部８７は、操作部８３により入力された端末装置の配置識別用識別符号に基づいて、その選択された端末装置に対してシステム上で固有のシステム用識別符号が中央管理装置１から検索され、その識別符号が他の情報と関連付けられて記憶される。端末装置設定値記憶部８８は、端末装置ＩＤ記憶部８７と同様に、操作部８３により入力された端末装置の配置識別用識別符号に基づいて、その選択された端末装置に対する設定値が中央管理装置１から検索され、その設定値が識別符号と関連付けられて記憶される。端末装置管理ソフト記憶部８９も、端末装置ＩＤ記憶部８７と同様に、操作部８３により入力された端末装置の配置識別用識別符号に基づいて、その選択された端末装置に対応する管理ソフトを読み出し、識別符号と関連づけられて記憶される。なお、端末装置ＩＤ記憶部８７、端末装置設定値記憶部８８、および、端末装置管理ソフト記憶部８９は、本実施の形態では説明の便宜上から別個のブロックとして説明しているが、１つの記憶部に統合させて構成しても良い。
【００６１】
管理装置検索プログラム記憶部９０は、操作部８３により入力された端末装置の配置識別用識別符号に基づいて、その選択された端末装置に対応するシステム用識別符号、設定値、及び、管理ソフト等のデータを読み出し、データの種類に応じて、上記した端末装置ＩＤ記憶部８７、端末装置設定値記憶部８８、および、端末装置管理ソフト記憶部８９に対応するデータを各々記憶させるプログラムを記憶する。
【００６２】
端末装置ＩＤ表示プログラム記憶部９１は、操作部８３により端末装置の配置識別用識別符号が入力された場合には、表示部８２に、端末装置ＩＤ記憶部８７記憶された配置識別用識別符号のデータを表示させ、中央管理装置１からシステム用識別符号、設定値、及び管理ソフトが検索されて各々記憶された場合には、端末装置ＩＤ記憶部８７、端末装置設定値記憶部８８、および、端末装置管理ソフト記憶部８９に記憶された各検索データを表示させるプログラムを記憶する。
【００６３】
ＩＤデータ書込プログラム記憶部９２は、表示部８２に表示された端末装置ＩＤおよびそのＩＤに関連づけられたデータ（例えば、ＩＤにより特定された端末装置の設定値、管理ソフト）を、端末装置ＩＤ記憶部８７、端末装置設定値記憶部８８、および、端末装置管理ソフト記憶部８９から読み出し、リング回線網送信インターフェース８５に接続された端末装置に書き込むプログラムを記憶する。このプログラムについては、図９を用いて後述する。回線網通信ソフト記憶部９４は、中央管理装置１の回線網通信ソフト記憶部４７あるいは端末装置の回線網通信ソフト記憶部６１と同様にリング型通信回線網でデータ等を通信する際に用いられるソフトウエアおよびプロトコル等を記憶する。管理装置通信ソフト記憶部９５は、管理装置通信インターフェース８４と中央管理装置１との間で通信回線６を介して任意のデータを送受信（通信）する際に用いられるソフトウエアおよびプロトコル等を記憶する。
【００６４】
図７は、（ａ）が図６の端末装置ＩＤ記憶部、（ｂ）が端末装置設定値記憶部、および、（ｃ）が端末装置管理ソフト記憶部の記憶内容を示す図表である。
【００６５】
図７（ａ）では、端末装置ＩＤ記憶部８７に、図３に示された端末装置のデータのうち、端末装置番号の列７１１（図３）の１行目の端末装置番号（配置識別用識別符号）のデータを列８７１のデータ「２１」として記憶し、それに対応する端末装置ＩＤの列７１２（図３）の１行目の端末装置ＩＤ（システム用識別符号）のデータを列８７２のデータ「Ａ０００１」として記憶している。
【００６６】
図７（ｂ）では、端末装置設定値記憶部８８に、図３に示された端末装置のデータのうち、端末装置番号の列７１１（図３）の１行目の端末装置番号（配置識別用識別符号）のデータを列８８１のデータ「２１」として記憶し、それに対応する端末装置ＩＤの列７１３（図３）の１行目の端末装置設定値のデータを列８８２のデータ「１０，１１，１１」として記憶している。
【００６７】
図７（ｃ）では、端末装置管理ソフト記憶部８９に、図３に示された端末装置のデータのうち、端末装置番号の列７１１（図３）の１行目の端末装置番号（配置識別用識別符号）のデータを列８９１のデータ「２１」として記憶し、それに対応する端末装置ＩＤの列７１４（図３）の１行目の端末装置管理ソフトのデータを列８９２のデータ「ソフト１」として記憶している。
【００６８】
なお、図７（ｂ）では、端末装置番号の列８８１のデータと端末装置設定値の列８８２のデータを対応させて記憶し、図７（ｃ）では、端末装置番号の列８９１のデータと端末装置管理ソフトの列８９２のデータを対応させて記憶しているが、例えば、端末装置番号の列のデータに代えて、端末装置ＩＤの列のデータと端末装置設定値の列のデータを対応させたり、端末装置ＩＤの列のデータと端末装置管理ソフトの列のデータを対応させても良い。
【００６９】
図８（ａ）、（ｂ）は、図６の端末装置ＩＤ書込装置８０で接続された端末装置にＩＤを書き込む場合に、表示部８２に表示される内容の一例を示す図表である。
【００７０】
操作部８３から台番号等の端末装置番号（配置識別用識別符号）が入力された場合に表示部８２に表示される内容は、本実施形態では図８（ａ）に示されたように入力された端末装置番号のみである。なお、図８（ａ）では、入力された端末装置番号のみが表示される場合を示したが、例えば、遊技場内の全ての端末装置番号の一覧を表示させ、操作部８３により選択させて、選択された端末装置番号がハイライトされたり反転表示されるように表示させてもよい。また、中央管理装置１からシステム用識別符号、設定値、及び管理ソフトが検索された場合に表示される内容は、本実施形態では図８（ｂ）に示されたように入力された端末装置番号に加えて、その端末装置の端末装置ＩＤ（システム用識別符号）、端末装置の設定値、端末装置の管理ソフトである。
【００７１】
図８（ｂ）では、入力された端末装置番号を示す符号が、端末装置番号として列８２１に示され、その各々の端末装置番号に対応する端末装置ＩＤが列８２２に示され、端末装置の設定値が列８２３に示され、端末装置の管理ソフトが列８２４に示される。図８（ｂ）の内容は、基本的に、図３に示した全端末装置データ記憶部７１に記憶された全端末装置中の１台の内容と同様であるが、バックアップ用データと書込用データの性格の違いから、全端末装置データ記憶部７１に記憶される内容であっても、例えば、新しい端末装置に書き込む必要がないデータについては表示させる必要はない。
【００７２】
例えば、図８（ｂ）の端末装置番号の列８２１に示された端末装置番号２１の端末装置（図１の付設処理装置２１）に不良が発生して、新しい端末装置（図１の付設処理装置２６）と交換する場合とする。すると、まず、新しい端末装置（付設処理装置２６）が図６に示した端末装置ＩＤ書込装置８０の回線網コネクタ３に接続される。そして、操作部８３から端末装置番号（台番号）の「２１」が入力される。
【００７３】
この状態で、本実施形態の端末装置ＩＤ書込装置８０では、表示部８２には図８（ａ）のように表示されて確認される。その後、中央管理装置１からシステム用識別符号、設定値、及び管理ソフト等が検索されると、一旦、対応する記憶部８７、８８、８９等に各々が格納されてから、表示部８２は図８（ｂ）のように、端末装置ＩＤの列８２２に示された端末装置ＩＤ「Ａ０００１」、端末装置設定値の列８２３からその設定値「１０，１１，１１」、端末装置管理ソフトの列８２４からその管理ソフト「ソフト１」が表示される。そして、表示内容が確認されたら、新しい端末装置（付設処理装置２６）に出力されて書き込まれる。なお、表示内容の確認は省略してもよい。さらに詳しくは、図９を用いて以下に説明する。
【００７４】
図９は、本実施の形態で新しい端末装置に任意のＩＤを書き込む際の動作を示すフローチャートである。
端末装置ＩＤ書込装置８０は、まず、管理装置通信インターフェース８４が中央管理装置１と接続されているか否かを判断し（Ｓ１）、接続されていない場合（Ｓ１：ＮＯ）には、中央管理装置１と接続し（Ｓ２）、接続されている場合（Ｓ１：ＹＥＳ）には、ステップＳ３に進む。次いで、回線網コネクタ３に新しい端末装置が接続されているか否かを判断し（Ｓ３）、接続されていない場合（Ｓ３：ＮＯ）には、新しい端末装置を接続し（Ｓ４）、接続されている場合（Ｓ３３：ＹＥＳ）には、追加あるいは変更する端末装置番号（台番号）が操作部８３から入力される（Ｓ５）。
【００７５】
端末装置番号（台番号）が入力されると、端末装置ＩＤ書込装置８０では、制御部８６により端末装置ＩＤ表示プログラム記憶部９１からプログラムを読み出して、図８（ａ）のように表示部８２に端末装置の端末装置番号を表示させる。その表示結果に対して、操作部８３から確認の入力があると、制御部８６は、管理装置検索プログラム記憶部９０からプログラムを読み出して起動させ（Ｓ６）、入力された端末装置番号に対応する中央管理装置１内のデータを検索して読み込む（Ｓ７）。
【００７６】
制御部８６は、入力された端末装置番号に対応するデータが全て読み込まれたか否かを判断し（Ｓ８）、データがまだ読み込まれていない場合（Ｓ８：ＮＯ）には、再度ステップＳ７のデータ読込を実施し、データが全て読み込まれた場合（Ｓ８：ＹＥＳ）には、端末装置ＩＤ表示プログラム記憶部９１から読み出されたプログラムにより、図８（ｂ）のように表示部８２に端末装置の端末装置番号とその読み込んだデータを表示させる（Ｓ９）。
【００７７】
その表示結果に対して、操作部８３から確認の入力があると、制御部８６は、ＩＤデータ書込プログラム記憶部９２からプログラムを読み出して起動させ（Ｓ１０）、端末装置ＩＤ記憶部８７、端末装置設定値記憶部８８、端末装置管理ソフト記憶部８９からデータを読み出し（Ｓ１１）、読み出したデータをリング回線網送信インターフェース８５でリング回線網用のデータに変換し（Ｓ１２）、通信回線２及び回線網コネクタ３を介して、その変換されたデータを接続された新しい端末装置における回線網と接続するためのインターフェースに向けて送出する（Ｓ１３）。
【００７８】
接続された新しい端末装置では、回線網と接続するためのインターフェースでデータを受信する（Ｓ１４）と、そのデータを内部処理が可能なデータ形式に変換し（Ｓ１５）、元のＩＤのデータおよびそれに対応する設定値と管理ソフトのデータを得て、その各データを対応する記憶部５６ａ、５６ｂ、５６ｃに書き込む（Ｓ１６）。
【００７９】
なお、本実施の形態では、リング回線網送信インターフェース８５にリング型通信回線網で利用されるプロトコルを用いるようにして、リング型通信回線網と接続するための通信コネクタを設けることで、端末装置に通常使用に用いられる通信インターフェース以外にＩＤを書き込むための通信インターフェースを別途に設ける必要が無くなり、端末装置のコスト増加を抑制できる。
【００８０】
このように本実施の形態の識別符号書込装置およびその書込方法では、各端末装置毎のＩＤを回線網を利用して一括で付与できるシステムで、一括付与後に一部の端末装置のみ、回線網に接続された任意の端末装置と同じＩＤを、回線網に接続しない状態で別の端末装置に対して付与することができるので、その設定に必要な時間および電力あるいは工数等の管理コストを低減させることができる。
【００８１】
また、本発明の識別符号書込装置およびその書込方法では、前記識別符号と関連づけて記憶する管理ソフトあるいは前記識別符号と関連づけて記憶する設定値についても端末装置に付与できるので、交換した新規の端末装置をリング型通信回線網と接続するための工数を低減させることができる。
【００８２】
（実施の形態２．）
上記した実施の形態１では、新しい端末装置の単位で端末装置ＩＤ書込装置に接続してＩＤ等を書き込む場合を示したが、例えば、新しい端末装置の印刷配線基板組立品に図４あるいは図５に示したような端末装置における通信、制御及び記憶機能を有している場合には、印刷配線基板組立品の単位で端末装置ＩＤ書込装置に接続してＩＤ等を書き込むことが可能である。以下に、そのような印刷配線基板組立品の単位で端末装置ＩＤ書込装置に接続してＩＤ等を書き込む場合について説明する。
【００８３】
図１０は、本発明の実施の形態２の端末装置ＩＤ書込装置の概略構成を示すブロック図である。
なお、以下の説明では、実施の形態１の図６に示した構成と同様な構成については同じ符号を付与して重複する説明を省略する。
【００８４】
図１０の端末装置ＩＤ書込装置と実施の形態１の図６の端末装置ＩＤ書込装置との相違点は、回線網コネクタ３に接続された各印刷配線基板組立品に電源電力を供給する電源供給部９３、電力供給線４、および、電源コネクタ５を設けた点である。他の構成については、実施の形態１と同様である。
【００８５】
なお、本実施の形態で端末装置ＩＤ書込装置に接続される印刷配線基板組立品は、上記したように図４あるいは図５に示したような端末装置における通信、制御及び記憶機能を有しており、すなわち、印刷配線基板組立品単体で、リング通信回線網と接続でき、端末装置のＩＤおよびそのＩＤに関連する設定値と管理ソフトを記憶するものである。
【００８６】
電源供給部９３は、例えば、端末装置ＩＤ書込装置の内部で電源電力として利用する電圧を、回線網コネクタ３に接続された印刷配線基板組立品の動作電圧に変換して出力する。電力供給線４は、電源供給部９３から出力された電圧を印刷配線基板組立品まで供給する配線である。電源コネクタ５は、電力供給線４を印刷配線基板組立品の電源入力部に接続するための接続端子である。
【００８７】
上記した印刷配線基板組立品への電源電力の供給は、常時電圧を供給しておき、電源コネクタ５への電圧を印刷配線基板組立品の接続により電力供給を開始するようにしても良いし、制御部５５により、電源供給部９３による電力供給を制御してＩＤ等のデータの書込に必要な時間だけ電力を供給するように制御しても良い。
【００８８】
このように、本実施の形態の識別符号書込装置およびその書込方法では、実施の形態１の効果に加えて、少なくとも識別符号を記憶でき、リング型通信回線網に接続するための通信コネクタを備える印刷配線基板組立品に対してもＩＤを付与できるので、遊技装置をＩＤ付与のために移動させる際の工数等を低減でき、複数の端末装置に対してＩＤを付与する場合等には多くの移動工数を低減させることができる。
【００８９】
実施の形態１と比較した場合も、本実施の形態では、印刷配線基板組立品の単位で端末装置ＩＤ書込装置に接続してＩＤ等を書き込むことができるので、実施の形態１の新しい端末装置自体を端末装置ＩＤ書込装置に接続する場合よりも作業量あるいは工数を減少させることができ、作業スペースに余裕がない場合でも、作業を容易にすることができる。例えば、複数の端末装置にＩＤを書き込む場合には、端末装置の置き場所の面積や移動に必要な作業量を実施の形態１よりも減少させることが可能である。
【００９０】
なお、上記した本実施の形態では、通信回線２および電力供給線４を用いているが、例えば、端末装置ＩＤ書込装置の上に直接に回線網コネクタ３および電源コネクタ５を設けることで、通信回線２および電力供給線４を用いずに直接に印刷配線基板組立品を接続できるように構成しても良い。さらに、例えば、回線網コネクタ３と電源コネクタ５を１つのコネクタにまとめるように構成しても良い。また、例えば、リング通信回線網が電力供給も可能な回線網である場合には、電源供給部９３、電力供給線４、および、電源コネクタ５を設けずに印刷配線基板組立品を接続できるように構成しても良い。
【００９１】
（実施の形態３．）
上記した実施の形態１、２では、端末装置ＩＤ書込装置８０、８０ａが中央管理装置１と別に設けられる場合について説明したが、端末装置ＩＤ書込装置は中央管理装置１に内蔵させることも可能である。そこで、以下に、端末装置ＩＤ書込装置を中央管理装置１に内蔵させた場合について説明する。
【００９２】
図１１は、本発明の実施の形態３の中央管理装置の概略構成を示すブロック図である。
図１１の中央管理装置１ａと実施の形態１又は２の図２の中央管理装置１との相違点は、端末装置ＩＤ書込装置８０ｂが中央管理装置１ａ内に内蔵された点である。他の構成については、実施の形態１と同様である。
【００９３】
図１２は、本発明の実施の形態３の端末装置ＩＤ書込装置の概略構成を示すブロック図である。
なお、以下の説明では、実施の形態１の図６に示した構成と同様な構成については同じ符号を付与して重複する説明を省略する。
【００９４】
図１２の端末装置ＩＤ書込装置８０ｂと実施の形態１の図６の端末装置ＩＤ書込装置８０との相違点は、操作部４３及び表示部４２が省略されている点である。他の構成については、実施の形態１と略同様である。
【００９５】
制御部８６ａは、図１２に示したように端末装置ＩＤ書込装置８０ｂ内に独立して設けられても良いが、例えば、図１１の中央管理装置１ａ内の制御部４５の処理能力に余裕がある場合には、制御部４５に処理させるように構成することもできる。その場合、端末装置ＩＤ書込装置８０ｂから、操作部４３及び表示部４２に加えて制御部８６ａも省略させることができる。
【００９６】
また、端末装置ＩＤ書込装置８０ｂを中央管理装置１ａ内に内蔵させた場合、管理装置通信インターフェース８４ａ、管理装置通信ソフト記憶部９５ａについても、中央管理装置１ａ内の内部バス等を用いて接続することができるので、別途にインターフェースや通信ソフトを用意する必要が無くなり、構成を簡略化あるいは省略させることができる。
【００９７】
このように、本実施の形態の識別符号書込装置およびその書込方法では、実施の形態１の効果に加えて、中央管理装置に識別符号書込装置を内蔵させるので、操作部、表示部および制御部として中央管理装置に備えられたものを流用することで省略あるいは統合でき、中央管理装置との通信インターフェースについても簡略化あるいは省略でき、別途に設ける必要がなくなるのでコスト増加を抑制できる。
【００９８】
なお、上記した各実施の形態では、リング型通信回線網により接続された端末装置として遊戯装置の付設処理装置と両替装置の場合を示したが、本発明はこれに限らず、リング型通信回線網により接続された任意の端末装置にＩＤを付与する場合に適用することができる。
【００９９】
上記した各実施の形態中で説明した構成及び動作は、各実施の形態における代表的な構成や動作の一例であり、その他の構成や動作を有していても良いことは言うまでもない。
【０１００】
上記した各実施形態では、識別符号およびそれに関連するデータを端末装置に書き込む場合を説明したが、例えば、加減乗除あるいは昇順／降順等の任意の演算処理を加えることにより決定できる数値データであれば、任意の形式のデータに対して本発明の端末装置ＩＤ書込装置を使用することができる。
【図面の簡単な説明】
【０１０１】
【図１】本発明の実施の形態１の識別符号書込装置が利用されるシステムの構成例を示すブロック図である。
【図２】図１の中央管理装置の概略内部構成を示すブロック図である。
【図３】図２の全端末装置データ記憶部の記憶内容を示す図表である。
【図４】図１の付設処理装置の概略内部構成を示すブロック図である。
【図５】図１の両替装置の概略内部構成を示すブロック図である。
【図６】図１の端末装置ＩＤ書込装置の概略内部構成を示すブロック図である。
【図７】（ａ）が図６の端末装置ＩＤ記憶部の記憶内容を示す図表であり、（ｂ）が端末装置設定値記憶部の記憶内容を示す図表であり、（ｃ）が端末装置管理ソフト記憶部の記憶内容を示す図表である。
【図８】図６の端末装置ＩＤ書込装置で接続された端末装置に書き込むＩＤを選択するために表示部に表示される内容の一例を示す図表である。
【図９】実施の形態１で新しい端末装置に任意のＩＤを書き込む際の動作を示すフローチャートである。
【図１０】本発明の実施の形態２の端末装置ＩＤ書込装置の概略構成を示すブロック図である。
【図１１】本発明の実施の形態３の中央管理装置の概略構成を示すブロック図である。
【図１２】本発明の実施の形態３の端末装置ＩＤ書込装置の概略構成を示すブロック図である。
【符号の説明】
【０１０２】
１  中央管理装置、  ２  通信回線、  ３  回線網コネクタ、  ４  電力供給線、  ５  電源コネクタ、  ２１〜２６  付設処理装置、  ２８、２９  両替装置、  ３１〜３５  遊技装置、  ４１、５３  リング回線網受信インターフェース、  ４２、８２  表示部、  ４３、８３  操作部、  ４４、５４、８５  リング回線網送信インターフェース、  ４５、５５、８６  制御部、  ４６  初台用端末装置ＩＤ記憶部、  ４７、６１、９４  回線網通信ソフト記憶部、  ４８  ＩＤ付与開始通知一斉送信プログラム記憶部、  ４９  端末装置ＩＤ付与プログラム記憶部、  ５１  波形整形部、  ５２  経路切替部、  ５６ａ、６２ａ  端末装置ＩＤ記憶部、  ５６ｂ、６２ｂ  端末装置設定値記憶部、  ５６ｃ、６２ｃ  端末装置管理ソフト記憶部、  ５８  経路切替制御プログラム記憶部、  ５９  端末装置ＩＤ記憶／生成プログラム記憶部、  ６３  両替プログラム記憶部、  ６４  両替部、  ７１  全端末装置データ記憶部、  ７１ａ  端末装置ＩＤ記憶部、  ７１ｂ  端末装置設定値記憶部、  ７１ｃ  端末装置管理ソフト記憶部、  ７２  全端末装置ＩＤ取得プログラム記憶部、  ８０  端末装置ＩＤ書込装置、  ８１  書込装置制御プログラム記憶部、  ８４  バックアップデータ読込部、  ８７  端末装置ＩＤ記憶部、  ８８  端末装置設定値記憶部、  ８９  端末装置管理ソフト記憶部、  ９０  管理装置検索プログラム記憶部、  ９１  端末装置ＩＤ表示プログラム記憶部、  ９２  ＩＤデータ書込プログラム記憶部、  ９３  電源供給部、  ７１１〜７１４、８２１〜８２４、８７１〜８７２、８８１〜８８２、８９１〜８９２  列。
【図１】
2006140675.tif 000003
【図２】
2006140675.tif 000004
【図３】
2006140675.tif 000005
【図４】
2006140675.tif 000006
【図５】
2006140675.tif 000007
【図６】
2006140675.tif 000008
【図７】
2006140675.tif 000009
【図８】
2006140675.tif 000010
【図９】
2006140675.tif 000011
【図１０】
2006140675.tif 000012
【図１１】
2006140675.tif 000013
【図１２】
2006140675.tif 000014